(57)【要約】【課題】ボルトナットを回転させる往復操作が可能なモンキーレンチを提供する。【解決手段】柄の一端に装着されるヘッド部３０は、可動ジョー５０および固定ジョー４０を有する。固定ジョー４０および可動ジョー５０は互いに向かい合う面に支持固定面４１、５２を別々に有し、その間に支持固定位置３５が形成される。可動ジョ５０ーの支持固定面５２は、外部に突出する弧面を呈し、固定ジョー４０の支持固定面４１は前端に第一歯４２を有し、後端に第二歯４４を有し、第一歯４２と第二歯４４との間に陥没部位４６が形成される。これにより、ボルトナットにレンチを嵌めると、レンチを往復回転させることによってボルトナットの締付または緩めを行なうことができる。【選択図】図１
0003152369.tif 000002
【実用新案登録請求の範囲】
【請求項１】
柄と、
前記柄の一端に装着され、可動ジョーおよび固定ジョーを有し、前記可動ジョーはヘッド部を移動可能であり、前記固定ジョーおよび前記可動ジョーは互いに向かい合う面に支持固定面を別々に有し、その間に支持固定位置が形成されるヘッド部と、
前記可動ジョーの移動制御によって、前記固定ジョーと前記可動ジョーとの間の幅を変え、ヘッド部および可動ジョーの間隔を調整する調整機構と、を備える往復操作が可能なモンキーレンチであって、
前記可動ジョーの支持固定面は、外部に突出する弧面を呈し、前記固定ジョーの支持固定面は前端に第一歯を有し、後端に第二歯を有し、前記第一歯と前記第二歯との間に陥没部位が形成されることを特徴とする往復操作が可能なモンキーレンチ。
【請求項２】
前記第一歯は、底部に形成された平面を有することを特徴とする請求項１に記載の往復操作が可能なモンキーレンチ。
【請求項３】
前記可動ジョーの前記支持固定面の最も突出する部位と前記第一歯との間の直線距離が最短であることを特徴とする請求項１に記載の往復操作が可能なモンキーレンチ。
【考案の詳細な説明】
【技術分野】
【０００１】
本考案は、手動工具に関し、詳しくは往復操作によってボルトナットを回転させることを可能にする往復式モンキーレンチに関するものである。
【背景技術】
【０００２】
レンチはよく使用されている手動工具であり、特にモンキーレンチはサイズが異なるボルトナットに対応できるため、比較的に頻繁に使用されるだけでなく、使用に便利である。
【０００３】
従来のモンキーレンチによってボルトナットを回転させる際、腕で回す角度が限られているため、ボルトナットを締め付けるか緩めるには、一つの角度で回転するごとにレンチを持ち上げてボルトナットに嵌め直し、何回か繰り返す必要がある。従って、使用に不便なだけでなく手間がかかる。
【０００４】
従来のモンキーレンチは二つのジョーの支持固定面が平行の平面を呈するため、通常のボルトナットに嵌める場合には、特に問題がないが、摩損のため鋭角がなくなったり円形に近くなってしまっているボルトナットに嵌める場合には、ボルトナットを確実に支持・固定することができないだけでなく、更にボルトナットに損壊を加える可能性がある。
【考案の概要】
【考案が解決しようとする課題】
【０００５】
本考案の主な目的は、往復移動によってボルトナットを回転させることを可能にする往復操作が可能なモンキーレンチを提供することである。
【課題を解決するための手段】
【０００６】
上述の目的を達成するために、本考案による往復操作が可能なモンキーレンチは、柄とヘッド部を備える。ヘッド部は柄の一端に装着され、固定ジョーおよび可動ジョーを有する。可動ジョーは内側に突出する弧面を有する。固定ジョーは内側の前端に第一歯を有し、内側の後端に第二歯を有し、第一歯と第二歯との間に陥没部位が形成される。
【０００７】
上述した構造により、ボルトナットにレンチを嵌めると、レンチを往復回転させることによってボルトナットの締付または緩めを行なうことが可能であるため、レンチを持ち上げ、ボルトナットに嵌め直すことを繰り返す必要なく、時間の短縮および使用上の利便性をはかることが可能となる。
【図面の簡単な説明】
【０００８】
【図１】本考案の実施形態の一部分の正面を示す模式図である。
【図２】本考案の実施形態の立体図である。
【図３】本考案がナットを挟む状態を示す模式図である。
【図４】モンキーレンチを時計回りに回す状態を示す模式図である。
【図５】モンキーレンチを反時計回りに回す状態を示す模式図である。
【図６】モンキーレンチを反時計回りに回す状態を示す模式図である。
【図７】モンキーレンチを反時計回りに回す状態を示す模式図である。
【図８】モンキーレンチを反時計回りに回す状態を示す模式図である。
【図９】本考案が大型ナットを挟む使用状態を示す模式図である。
【図１０】本考案が小型ナットを挟む使用状態を示す模式図である。
【図１１】本考案が摩損したナットを挟む使用状態を示す模式図である。
【考案を実施するための形態】
【０００９】
以下、図面に基づいて本考案の実施形態を説明する。
図１と図２に示すように、本考案によるモンキーレンチ１０は、柄２０とヘッド部３０を備える。
【００１０】
ヘッド部３０は、柄２０の先端に装着され、可動ジョー５０、固定ジョー４０、横方向の誘導溝３４および装着チャンバー３２を有する。固定ジョー４０および可動ジョー５０は互いに向かい合う面に支持固定面４１、５２を別々に有し、かつその間に支持固定位置３５が形成される。
【００１１】
固定ジョー４０は、支持固定面４１の前端に形成された第一歯４２および支持固定面４１の後端に形成された第二歯４４を有する。第一歯４２は底部に形成された平面４３を有する。第一歯４２と第二歯４４との間には陥没部位４６が形成される。
【００１２】
可動ジョー５０の支持固定面５２は、外側に突出する弧面を呈する。横方向の誘導桿５４は可動ジョー５０の底部に位置付けられ、底面に複数の歯５６を有する。誘導桿５４は可動ジョー５０を横方向に移動させるため横方向の誘導溝３４中に装着される。ねじ状桿体６０は誘導桿５４の歯５６と噛み合いながら回転することが可能なように装着チャンバー３２中に装着される。ねじ状桿体６０を回転させれば可動ジョー５０を移動させ、固定ジョー４０と可動ジョー５０との間の距離を変えることが可能である。可動ジョー５０の支持固定面５２上の最も突出する部位５２１と第一歯４２との間の直線距離が最短である。
【００１３】
図３および図４に示すように、ナット７０がモンキーレンチ１０の支持固定位置３５に嵌合された後、ナット７０上の一対の側面Ａ、Ｂは可動ジョー５０の最も突出する部位５２１と第一歯４２の平面４３に別々に突き当たる。第二歯４４はナット７０の側面Ｃに突き当たり、側面Ｂ、Ｃとの間の角Ｄは陥没部位４６に入り込む。モンキーレンチ１０を時計回りに回転させれば、可動ジョー５０の支持固定面５２、第一歯４２の平面４３および第二歯４４はナット７０を時計回りに動かす。
【００１４】
モンキーレンチ１０を一定の角度まで時計回りに回転させ、腕でモンキーレンチ１０の回転を続けることができなくなった場合、図５に示すように、モンキーレンチ１０を適切な位置まで反時計回りに回転させれば、再び時計回りに回転することができる。図６に示すように、小さい角度でモンキーレンチ１０を反時計回りに回転させた後、ナット７０の側面Ａは可動ジョー５０の支持固定面５２から徐々に逸脱し、支持固定面５２との間に隙間が形成される。角Ｄは陥没部位４６から徐々に後退する。
【００１５】
図７に示すように、モンキーレンチ１０の反時計回りの回転を持続させれば、角Ｄは陥没部位４６と第二歯４４から完全に逸脱し、ナット７０の角Ｅは支持固定面５２をスライドし、通過する。続いて、モンキーレンチ１０を持続的に回せば、ナット７０は再び支持固定位置３５に嵌合され、固定ジョー４０と可動ジョー５０によって支持固定されることが可能である。図８に示すように、再びモンキーレンチ１０を時計回りに回すことによってナット７０を回転させることが可能である。図４から図８までの操作を繰り返せばナット７０を締め付けることが可能である。
【００１６】
図９および図１０に示すように、ねじ状桿体６０を回し、可動ジョー５０を移動させれば、支持固定位置３５の大きさを変え、サイズが異なるボルトナットを支持固定することが可能である。
【００１７】
モンキーレンチ１０は摩損したボルトナット８０を支持固定することも可能である。図１１に示すように、固定ジョー４０および可動ジョー５０は別々に第一歯４２、第二歯４４および支持固定面５２の最も突出する部位５２１によって摩損したボルトナット８０を挟む。摩損したボルトナット８０の形が非常に不規則であっても、固定ジョー４０と可動ジョー５０はボルトナット８０を確実に挟んで回転させることが可能である。
【００１８】
本考案によるモンキーレンチ１０は、サイズおよび大きさが異なるボルトナットに対応可能であるだけでなく、ボルトナットを回す際、往復操作によってボルトナットを回転させることができるため、レンチを持ち上げ、再びボルトナットに嵌めてボルトナットを回転させる必要なく、時間の短縮、使用上の利便性および迅速性をはかることが可能となる。また、本考案によるモンキーレンチ１０は摩損したボルトナットに用いることも可能である。
【００１９】
上述した実施形態は、本考案を説明するための一例であるため、本考案を制限するものではない。
【符号の説明】
【００２０】
１０：モンキーレンチ、  ２０：柄、  ３０：ヘッド部、  ５０：可動ジョー、  ４０：固定ジョー、  ４１、５２：支持固定面、  ４２：第一歯、  ４４：第二歯、  ４６：陥没部位、  ４３：平面、  ３４：誘導溝、  ３５：支持固定位置、  ５４：誘導桿、  ５６：歯、  ３２：装着チャンバー、  ６０：ねじ状桿体
【図１】
0003152369.tif 000003
【図２】
0003152369.tif 000004
【図３】
0003152369.tif 000005
【図４】
0003152369.tif 000006
【図５】
0003152369.tif 000007
【図６】
0003152369.tif 000008
【図７】
0003152369.tif 000009
【図８】
0003152369.tif 000010
【図９】
0003152369.tif 000011
【図１０】
0003152369.tif 000012
【図１１】
0003152369.tif 000013